【事件の表示】
　平成１１年特許願第１２１２６０号「自動取引装置」拒絶査定不服審判事件〔平成１２年１１月　７日出願公開、特開２０００−３１１２６５〕について、次のとおり審決する。
【結　論】
　本件審判の請求は、成り立たない。
【理　由】
１．手続の経緯
　本願は、平成１１年４月２８日の出願であって、平成１５年９月２４日付で拒絶査定がなされ、これに対し、同年１０月３０日に拒絶査定に対する審判請求がなされるとともに、同年１０月３０日及び同年１２月１日付けで手続補正がなされたものである。
　
２．平成１５年１２月１日付の手続補正についての補正却下の決定
［補正却下の決定の結論］
　平成１５年１２月１日付の手続補正を却下する。
　
［理由］
　平成１５年１２月１日付の手続補正は、新たな効果を記載したものであり、この補正は、特許法第１７条の２第４項第１号、第２号、第３号及び第４号に規定する請求項の削除を目的とするものとも、特許請求の範囲の減縮を目的とするものとも、誤記の訂正を目的とするものとも、また明りょうでない記載の釈明を目的とするとも認められない。
　以上のとおりであるから、本件補正は、特許法第１７条の２第４項の規定に違反するものであり、特許法第１５９条第１項で読み替えて準用する特許法第５３条第１項の規定により却下されるべきものである。
　
３．平成１５年１０月３０日付の手続補正について
　平成１５年１０月３０日付の手続補正は、拒絶査定時（平成１４年１２月２日付けの手続補正書）の特許請求の範囲の請求項１〜３を削除し、請求項４及び請求項５を新たに請求項１及び請求項２に補正したものと認められ、該補正は、特許法第１７条の２第４項第１号の「特許法第３６条第５項に規定する請求項の削除」に該当するので、該補正は認める。
　
４．本願発明について
　本願の請求項１に係る発明（以下、同項記載の発明を「本願発明」という。）は、平成１５年１０月３０日付けの手続補正書の特許請求の範囲の請求項１に記載された事項により特定される、次のとおりのものである。
　「挿入された帳票媒体を読み取って処理する自動取引装置であって、
　帳票媒体のイメージ画像を読み取る画像読取部と、
　前記画像読取部で読み取った画像データを基にその内容を認識する認識部と、
　ガイダンスを表示し、入力を受ける顧客操作部と、
　前記画像読取部で読み取ったイメージ画像と、前記認識部で認識した金額と、
数字を入力する数字ボタンと、前記数字ボタンで入力された結果を表示する結果表示部とのうち、前記イメージ画像及び前記数字ボタン及び前記結果表示部のみを前記顧客操作部の同一画面に表示する制御部とを有することを特徴とする自動取引装置。」
　
４−１．引用例（特開平４−３１４１７０号公報）
　原査定の拒絶の理由に引用された特開平４−３１４１７０号公報（以下、引用例という。）には、図面とともに、以下のような記載がある。
　「【産業上の利用分野】本発明は、銀行等に持参された小切手の受取の自動化を図った小切手受付装置に関する。」（段落【０００１】）、
　「図１は、小切手受付機１の構成を概略的に示す機能ブロック図であり、同図において２は顧客が挿入したＩＤカードの記録情報を読取るカード読取機、３はマイクロプロセッサ等によって構成され、情報処理と各部機構の制御を行う制御部、４は制御部３からの指令によって開閉する小切手の投入口、５は投入口にセットされる小切手、６は小切手５のパターンを読取る画像読取機、７は小切手を一旦留めておき、キャンセルの指令がなされたときに返却口１８に返却するための一時保留部、８は読取った小切手の画像、キーボード、入力金額、インフォメーション等を表示するＣＲＴ、９は金額、承認、非承認、金額訂正、金額ＯＫ等の指令を入力するタッチパネル、１０はロール状になった感熱記録紙、１１は感熱ヘッドによって構成され、受取小切手の縮小画像や手入力金額等を印字するレシート発行部、１２は小切手に磁気インクで文字を印字する印字部、１３は小切手に磁気インクで印字された文字、例えば小切手の振出銀行を読取るＭＩＣＲ、１４は振出銀行毎に小切手の収納容器を選別するための切替器、１５は複数の取出交換容易な小切手収納容器を持つ小切手収納部、１６は顧客の投入した小切手を区分けするために、最後の小切手の後に挟み込むスリップを送り出すスリップ発行部であり、印字部１２によって投入された小切手の合計金額等の所定事項がこのスリップに印字される。１７は受付けた小切手の画像及び入力金額等を光磁気記録ディスクに記録する光磁気記憶装置、１９は小切手を投入口４から一時保留部７へ、一時保留部７から小切手収納部１５あるいは返却口１８へ運ぶ図示しない搬送機構であり、重送防止機構、送りローラ対、ベルト、ペーパーガイド、バキューム、紙葉検出センサ等の周知搬送手段によって構成される。また、搬送機構１９は、スリップ発行部１６からスリップが送出されるとこれを小切手収納部１５に搬送する。」（段落【００２１】）、
　「制御部３が、小切手の載置を判別すると、投入口４のシャッタを閉め、スタッカ最下部の小切手の一枚を取込むように搬送機構１９に指令する。搬送機構１９はこの小切手を画像読取機６に運ぶ（ステップＳ１６）。画像読取機６は、小切手を移動させてその画像を読取りセンサで走査し、読取信号を得る。画像イメージを担う上記読取信号が制御部３に供給されると、制御部３はこれを画像メモリに記憶する。この小切手の画像イメージは同期信号と共にＣＲＴ８に供給され、画面の一部に適当な大きさで表示される。画面の他の部分にはタッチパネルに触れて小切手記載の金額を入力するように案内が表示される（ステップＳ１８）。制御部３は、図示しない数値入力プログラムによってタッチパネル９から記載金額が入力レジスタに設定されたことを判別すると（ステップＳ１９）、入力金額記憶メモリに記憶させる。この金額はＣＲＴ８の小切手画像の近傍に照合が容易になるように表示される。顧客は入力をエラーしたとき、クリアエンタキーに触れて、一時記憶されている金額をクリアし、再度入力を繰り返す（ステップＳ１９，Ｓ２０）。上記載置を検知するセンサが小切手の残りがあることを検知していると（ステップＳ２１）、制御部３は、ステップ１６から２１を繰り返して小切手の取込み、画像表示、金額入力の受入れを繰り返す。」（段落【００２７】）。
　これらの記載によれば、引用例には、次のような発明が記載されている。
　「挿入された小切手を読み取って処理する自動小切手受付装置であって、
　小切手の画像イメージを読み取る画像読取機と、
　読取った小切手の画像、キーボード、入力金額、インフォメーション等を表示するＣＲＴと、金額、承認、非承認、金額訂正、金額ＯＫ等の指令を入力するタッチパネルと、
　画像読取機で読み取った画像イメージと、ＣＲＴ上に表示されたキーボードと、タッチパネルに触れて入力した入力金額の表示と、
　画像イメージ及びキーボード及び入力金額の表示をＣＲＴの同一画面に表示させる制御部とを
有する自動小切手受付装置。」
　
４−２．対比
　本願発明と引用例に記載された発明と対比する。
　本願発明の発明の詳細な説明の「以下、本発明における手形や小切手等の帳票を受ける自動取引装置について図面を用いて詳細に説明する。」（段落【０００６】）等の記載からして、帳票は手形や小切手等含むものであり、また本願発明の自動取引装置は、小切手も扱うものであるから自動小切手受付装置を含むものと認められので、引用例に記載の発明の「自動小切手装置」、「小切手」は、それぞれ、本願発明の「自動取引装置」、「帳票」に相当する。
　引用例に記載の発明の「読取った小切手の画像、キーボード、入力金額、インフォメーション等を表示するＣＲＴと、金額、承認、非承認、金額訂正、金額ＯＫ等の指令を入力するタッチパネル」は、「ガイダンスを表示し、入力を受ける」ものであるから、本願発明の「顧客操作部」に相当する。
　引用例に記載の発明の「画像読取機」、「画像イメージ」、「ＣＲＴ上に表示されたキーボード」、「タッチパネルに触れて入力した入力金額の表示」は、その機能からして、それぞれ、本願発明の「画像読取部」、「イメージ画像」、「数字を入力する数字ボタン」、「数字ボタンで入力された結果を表示する結果表示部」に相当する。
　そうすると、本願発明と引用例に記載の発明とは、
　「挿入された帳票媒体を読み取って処理する自動取引装置であって、
　帳票媒体のイメージ画像を読み取る画像読取部と、
　ガイダンスを表示し、入力を受ける顧客操作部と、
　前記画像読取部で読み取ったイメージ画像と、数字を入力する数字ボタンと、前記数字ボタンで入力された結果を表示する結果表示部と、前記イメージ画像及び前記数字ボタン及び前記結果表示部を前記顧客操作部の同一画面に表示する制御部とを有することを特徴とする自動取引装置。」
で、一致し、次の点で相違している。
　本願発明が、「画像読取部で読み取った画像データを基にその内容を認識する認識部」を有し、「前記認識部で認識した金額」は、表示されないのに対し、引用例に記載の発明には、そのような事項がない点で相違している。
　
　なお、本願発明の発明の詳細な説明には、例えば、段落【００２２】には「制御部３は、上記した画像イメージを記憶する画像メモリ、タッチパネル９から供給された入力金額を記憶するメモリ、ＭＩＣＲ１３によって読取られた小切手の振出元を判別し、切替器１４を制御して振出元に対応する収納容器に読取り小切手を投入させる振出元読取プログラム、画像イメージを処理して小切手に記載された手書金額を読取るパターン認識プログラム、光磁気記憶装置とデータを送受するインタフェース、外部のホストコンピュータとデータの送受を行うインタフェース等から構成される。」という記載があり、「画像イメージを処理して小切手に記載された手書金額を読取るパターン認識プログラム」は、本願発明の「認識部」に対応するものであるが、この事項は、他の実施例（段落【００３７】以降の記載、図６）に関わるものなので、上記のように認定した。
　
４−３．判断
　小切手を扱う装置において、画像読取部で読み取った画像データを基にその内容を認識する認識部を有し、認識部で小切手の金額を認識し、かつ小切手の金額を手入力することは、本願出願前周知な技術事項であり（例えば、特開平１１−６６３８８号公報、特開平７−１１０８４１号公報、等参照）、引用例に記載の発明の発明に、周知技術事項を適用することは、当業者が適宜なし得ることであり、どういったデータを表示させるか表示させないかは、その目的等に応じ当業者が適宜設計し得ることであり、「前記認識部で認識した金額」は、表示されないようにすることは当業者なら普通に採用し得る程度の単なる設計変更である。
　
４−４．むすび
　以上のとおり、本願発明は、引用例に記載された発明及び周知事項に基づいて、当業者が容易に発明をすることができたものであるから、特許法第２９条第２項の規定により特許を受けることができない。
　したがって、請求項２に係る発明につき検討するまでもなく、本願は拒絶されるべきものである。
　よって、結論のとおり審決する。